(57)【要約】【課題】互いに接着した下シートと上シートの品質の安定性を確保できる接着装置を提供する。【解決手段】接着装置は、ノズル対向部材２３０、ノズル、下搬送ローラ２７０、ノズル下ローラ２７５、下搬送モータ２６２を備える。ノズル対向部材２３０は下シートを支持する。ノズル対向部材２３０は露出孔２２９、孔部２３２を備える。露出孔２２９と孔部２３２は、後側から順に並ぶ。ノズルは、孔部２３２上方に設ける。ノズルは、下シートに対して上方から接着剤を吐出する吐出口と、上シートを下側から支持する上支持部とを備える。下搬送ローラ２７０は露出孔２２９から上側に突出し、ノズル下ローラ２７５は孔部２３２から上側に突出する。ノズル下ローラ２７５の外径は、下搬送ローラ２７０の外径と同じである。下搬送モータ２６２は、下搬送ローラ２７０とノズル下ローラ２７５を回転する。【選択図】図６
2018172829.tif 000002
【特許請求の範囲】
【請求項１】
下シートを下側から支持する下支持部と、
前記下シートの上側に設け、前記下シートに上側から重なる上シートを下側から支持する上支持部と、前記上支持部の下方で前記下シートに向けて接着剤を吐出する吐出口とを有するノズルと、
前記ノズルに前記接着剤を供給する供給機構と、
前記接着剤が付着した前記下シートと、前記上シートとを搬送する搬送機構と
を備え、
前記搬送機構は、
前記ノズルに対して前記下シートと前記上シートの搬送方向の下流側で、前記搬送方向と上下方向とに直交する特定方向を軸方向として回転可能であり、前記下シートに下側から接触する下搬送ローラと、
前記特定方向を軸方向として回転可能であり、前記下シートと前記上シートを前記下搬送ローラとの間で上側から挟む上搬送ローラと、
前記下搬送ローラを駆動する下搬送モータと、
前記上搬送ローラを駆動する上搬送モータと
を備える接着装置において、
前記下支持部は、前記吐出口の下側で、上下方向に開放した孔部を備え、
前記搬送機構は、前記特定方向を軸方向として回転可能であり、前記下搬送モータと連結し、前記孔部から上側に突出して前記下シートに下側から接触し、外径が前記下搬送ローラの外径と同じであるノズル下ローラを備えることを特徴とする接着装置。
【請求項２】
前記ノズル下ローラに対して前記搬送方向の上流側に設け、前記搬送方向を軸方向として回動可能であり、前記下シートに下側から接触する回動ローラと、
前記上シートよりも下側にあり、前記下シートを前記回動ローラとの間で上側から挟む挟持部材と、
前記回動ローラを駆動する駆動モータと、
前記搬送方向において前記吐出口と前記回動ローラの間の所定位置である検出位置に、前記特定方向の一方側における前記下シートの端部である特定端部があるか否かを検出する検出部と、
前記供給機構、前記上搬送モータ、及び前記下搬送モータを駆動制御して、前記吐出口から前記接着剤を吐出して、前記下シートの前記特定端部に前記接着剤を吐出しながら、前記下シートと前記上シートを互いに圧着して搬送する吐出搬送制御手段と、
前記吐出搬送制御手段が、前記供給機構、前記上搬送モータ、及び前記下搬送モータを駆動制御する場合、前記駆動モータを駆動制御する駆動制御手段と
を備え、
前記駆動制御手段は、
前記検出位置に前記下シートがあることを前記検出部が検出した場合、前記回動ローラを第一出力方向に回転して、前記特定端部を前記一方側とは反対の他方側に移動する第一駆動制御手段と、
前記検出位置に前記下シートがないことを前記検出部が検出した場合、前記回動ローラを前記第一出力方向とは反対方向に回転して、前記特定端部を前記一方側に移動する第二駆動制御手段と
を備えることを特徴とする請求項１に記載の接着装置。
【請求項３】
前記下支持部は、前記検出位置にて上下方向に開放した検出孔を備え、
前記検出部は、
前記検出孔を介して前記検出位置に向けて発光する発光部と、
前記発光部が発光した光を受光可能な受光部と
を備え、
前記検出位置は、前記下支持部において前記孔部に対して前記一方側にずれた位置となることを特徴とする請求項２に記載の接着装置。
【請求項４】
前記下支持部は、前記孔部に対して前記一方側、且つ前記検出孔に対して前記搬送方向の下流側に設け、上側に突出する凸部を備えることを特徴とする請求項３に記載の接着装置。
【請求項５】
前記凸部の上端と、前記ノズル下ローラの上端は、互いに同じ上下方向位置にあることを特徴とする請求項４に記載の接着装置。
【請求項６】
前記下支持部の上下方向位置を調整する位置調整機構を備え、
前記位置調整機構は、
基台と、
前記基台に設けたモータと、
前記基台に設け、前記上下方向を軸方向として回転可能であり、前記モータと連結する螺子軸と、
前記下支持部に固定し、前記螺子軸が挿通して噛み合う開口孔を有する噛合体と
備え、
前記モータを制御して、前記噛合体を上下動することで前記下支持部の上下方向位置を調整することを特徴とする請求項１〜５の何れか一つに記載の接着装置。
【発明の詳細な説明】
【技術分野】
【０００１】
本発明は接着装置に関する。
【背景技術】
【０００２】
接着剤を介して二枚の布であるシートを互いに接着する接着装置が公知である。特許文献１の接着装置はノズル、上移送ローラ、ベルト、二縁部用案内部材を備える。ノズルは下シートに接着剤を吐出する。上移送ローラは接着剤を塗布した下シートと上シートを、ベルトとの間で押圧しながら移送する。二縁部用案内部材は下シート案内部と上シート案内部を備える。作業者は、下シート右端部を下シート案内部に挿入して位置決めし、上シート左端部を上シート案内部に挿入して位置決めする。
【先行技術文献】
【特許文献】
【０００３】
【特許文献１】特開２０１１−１２２２６２号公報
【発明の概要】
【発明が解決しようとする課題】
【０００４】
上記接着装置では、下シートとノズルとの間で介在する接着剤の粘性、下シートと下シート搬送部との接触に起因して、下シートの移送を妨げる力が生じる可能性がある。該場合、下シートは移送方向に沿って伸びた状態で、上移送ローラとベルトとの間に進入する可能性がある。例えば、下シートが比較的小さい生地厚を有する場合、又は、下シートが比較的高い伸縮性を有する場合には、下シートが伸びた状態で上移送ローラとベルトとの間に進入する可能性は、高まる。該場合、下シートが上移移動ローラとベルトとの間を通過した後に縮むので、接着後の上シートと下シートに凹凸が生じる可能性がある。故に、接着装置は上シートと下シートの接着後の品質が安定しない可能性がある。
【０００５】
本発明の目的は、互いに接着した下シートと上シートの品質の安定性を確保できる接着装置を提供することである。
【０００６】
本発明に係る接着装置は、下シートを下側から支持する下支持部と、前記下シートの上側に設け、前記下シートに上側から重なる上シートを下側から支持する上支持部と、前記上支持部の下方で前記下シートに向けて接着剤を吐出する吐出口とを有するノズルと、前記ノズルに前記接着剤を供給する供給機構と、前記接着剤が付着した前記下シートと、前記上シートとを搬送する搬送機構とを備え、前記搬送機構は、前記ノズルに対して前記下シートと前記上シートの搬送方向の下流側で、前記搬送方向と上下方向とに直交する特定方向を軸方向として回転可能であり、前記下シートに下側から接触する下搬送ローラと、前記特定方向を軸方向として回転可能であり、前記下シートと前記上シートを前記下搬送ローラとの間で上側から挟む上搬送ローラと、前記下搬送ローラを駆動する下搬送モータと、前記上搬送ローラを駆動する上搬送モータとを備える接着装置において、前記下支持部は、前記吐出口の下側で、上下方向に開放した孔部を備え、前記搬送機構は、前記特定方向を軸方向として回転可能であり、前記下搬送モータと連結し、前記孔部から上側に突出して前記下シートに下側から接触し、外径が前記下搬送ローラの外径と同じであるノズル下ローラを備えることを特徴とする。
【０００７】
上記構成によれば、吐出口の下側にあるノズル下ローラが、下シートを搬送するので、下シートは、下搬送ローラとノズル下ローラとの間で伸び難い。故に、接着装置は、互いに接着した下シートと上シートの品質の安定性を確保できる。
【０００８】
前記接着装置では、前記ノズル下ローラに対して前記搬送方向の上流側に設け、前記搬送方向を軸方向として回動可能であり、前記下シートに下側から接触する回動ローラと、前記上シートよりも下側にあり、前記下シートを前記回動ローラとの間で上側から挟む挟持部材と、前記回動ローラを駆動する駆動モータと、前記搬送方向において前記吐出口と前記回動ローラの間の所定位置である検出位置に、前記特定方向の一方側における前記下シートの端部である特定端部があるか否かを検出する検出部と、前記供給機構、前記上搬送モータ、及び前記下搬送モータを駆動制御して、前記吐出口から前記接着剤を吐出して、前記下シートの前記特定端部に前記接着剤を吐出しながら、前記下シートと前記上シートを互いに圧着して搬送する吐出搬送制御手段と、前記吐出搬送制御手段が、前記供給機構、前記上搬送モータ、及び前記下搬送モータを駆動制御する場合、前記駆動モータを駆動制御する駆動制御手段とを備え、前記駆動制御手段は、前記検出位置に前記下シートがあることを前記検出部が検出した場合、前記回動ローラを第一出力方向に回転して、前記特定端部を前記一方側とは反対の他方側に移動する第一駆動制御手段と、前記検出位置に前記下シートがないことを前記検出部が検出した場合、前記回動ローラを前記第一出力方向とは反対方向に回転して、前記特定端部を前記一方側に移動する第二駆動制御手段とを備えてもよい。接着装置は、特定端部の特定方向の位置を制御できるので、特定端部への接着剤の塗布精度を安定化できる。
【０００９】
前記接着装置では、前記下支持部は、前記検出位置にて上下方向に開放した検出孔を備え、前記検出部は、前記検出孔を介して前記検出位置に向けて発光する発光部と、前記発光部が発光した光を受光可能な受光部とを備え、前記検出位置は、前記下支持部において前記孔部に対して前記一方側にずれた位置となってもよい。検出位置は、吐出口の下方で開口した孔部に対して一方側にずれた位置となる。接着装置は、検出位置を吐出口に近づけることができる。故に接着装置は、特定方向の位置を制御した特定端部が、吐出口下方に到達するまでの距離を短くできるので、特定端部への接着剤の塗布精度を更に安定化できる。
【００１０】
前記接着装置では、前記下支持部は、前記孔部に対して前記一方側、且つ前記検出孔に対して前記搬送方向の下流側に設け、上側に突出する凸部を備えてもよい。凸部が下シートに下側から接触するので、ノズル下ローラと接触する下シートは吐出口よりも特定方向の一方側で垂れ難い。故に接着装置は、特定端部への接着剤の塗布精度を更に安定化できる。
【００１１】
前記接着装置では、前記凸部の上端と、前記ノズル下ローラの上端は、互いに同じ上下方向位置にあってもよい。下シートがノズル下ローラと接触する上下方向位置と、下シートが凸部と接触する上下方向位置は、互いに同じになる。故に接着装置は特定端部への接着剤の塗布精度を更に安定化できる。
【００１２】
前記接着装置では、前記下支持部の上下方向位置を調整する位置調整機構を備え、前記位置調整機構は、基台と、前記基台に設けたモータと、前記基台に設け、前記上下方向を軸方向として回転可能であり、前記モータと連結する螺子軸と、前記下支持部に固定し、前記螺子軸が挿通して噛み合う開口孔を有する噛合体と備え、前記モータを制御して、前記噛合体を上下動することで前記下支持部の上下方向位置を調整してもよい。接着装置は、下支持部と吐出口との上下方向における距離を調整できる。故に接着装置は、特定端部への接着剤の塗布精度を更に安定化できる。
【図面の簡単な説明】
【００１３】
【図１】接着装置１の斜視図。
【図２】接着装置１の内部構造の斜視図。
【図３】接着装置１の内部構造の別の斜視図。
【図４】接着装置１の左側面図。
【図５】ノズル１１、１３を下側から見た斜視図。
【図６】ノズル対向部材２３０の斜視図。
【図７】下搬送機構２６０と位置調整機構２４０の斜視図。
【図８】上支持機構３００の斜視図。
【図９】支持台３０５を省略した上支持機構３００の斜視図。
【図１０】下挟持ローラ５０１、支持部材３１５、上挟持ローラ６０１の拡大斜視図。
【図１１】下挟持ローラ５０１とノズル下ローラ２７５の左側面図。
【図１２】下検出機構５３０と上検出部支持機構６６０の正面図。
【図１３】下ロッド５２６が下退却位置にある下エアシリンダ５２５の斜視図。
【図１４】上挟持機構６００の斜視図。
【図１５】接着装置１の電気ブロック図。
【図１６】メイン処理の流れ図。
【図１７】可動体３０４が退避位置にある上支持機構３００の斜視図。
【図１８】可動体３０４が作動位置にある上支持機構３００の斜視図。
【図１９】下ロッド５２６が下付勢位置にある下エアシリンダ５２５の斜視図。
【図２０】上ロッド６２６が上付勢位置にある上エアシリンダ６２５の斜視図。
【図２１】接着処理の流れ図。
【図２２】接着剤Ｚが付着した下シート８と、上シート６の右側面図。
【図２３】下検出位置Ｐにある下特定端部８Ａと、上検出位置Ｑにある上特定端部６Ａの正面図。
【図２４】下検出位置Ｐにない下特定端部８Ａと、上検出位置Ｑにない上特定端部６Ａの正面図。
【発明を実施するための形態】
【００１４】
本発明の実施形態を説明する。以下説明は図中に矢印で示す左右、前後、上下を使用する。接着装置１は二枚のシートを接着剤Ｚで接着する。二枚のシートは、下シート８と上シート６である（図１８参照）。上シート６は下シート８に対して上側から重なる。一例として、下シート８と上シート６は何れも可撓性を有する布である。本実施形態の接着装置１は、下シート８の右端部である下特定端部８Ａと、上シート６の左端部である上特定端部６Ａを、接着剤Ｚを介して接着する。接着剤Ｚは図２２でのみで図示する。
【００１５】
図１〜図１４を参照し、接着装置１の機械的構成を説明する。図１〜図３に示す如く、接着装置１は台座部２、脚柱部３、アーム部４、頭部５を備える。台座部２は直方体状であり、作業台に固定する。脚柱部３は柱状であり、台座部２上面から上方に延びる。アーム部４は脚柱部３上端部から左方に延びる。頭部５はアーム部４左端部から左方に突出する。
【００１６】
台座部２は固定部３２を支持する。固定部３２は、台座部２左面に固定した矩形板状である。固定部３２は土台３３を支持する。土台３３は、左側面視Ｕ字状であり、固定部３２から左方に延びる。土台３３は前壁３３Ａを備える。土台３３上端は支持部５２を固定する。支持部５２は左右方向と前後方向に延びる。支持部５２は左部５３と右部５４を備える。左部５３は平面視略矩形状である。左部５３は下シート８を下側から支持する。左部５３は後端に、上下方向に開放した開口孔５９を備える。右部５４は左部５３の右端前部から右方に延びる。
【００１７】
図３、図４に示す如く、頭部５は上搬送機構７０を支持する。上搬送機構７０は支持アーム１６、上搬送ローラ１２、上搬送エアシリンダ１２２（図１５参照）、上搬送モータ１１２を備える。支持アーム１６は、頭部５に設けた左右方向に延びる上軸部にて、回動可能に支持する。支持アーム１６は、頭部５下方で後方から前方に延び、更に前下方に延びる。支持アーム１６は箱状である。支持アーム１６は下端部に上ローラ軸を支持する。上ローラ軸は、左右方向に延び、回転可能である。上搬送ローラ１２は上ローラ軸にて支持する。上搬送ローラ１２は上ローラ軸と共に左右方向を軸方向として回転する。上搬送エアシリンダ１２２（図１５参照）は、上下方向に沿う姿勢で頭部５内部に設ける。上搬送エアシリンダ１２２は、上下方向に延びる軸を備える。上搬送エアシリンダ１２２は、支持アーム１６の後端部に連結する。支持アーム１６は上搬送エアシリンダ１２２の駆動により上軸部を中心に揺動する。
【００１８】
上搬送モータ１１２は支持アーム１６に設ける。上搬送モータ１１２は、第一プーリ、タイミングベルト、第二プーリ等を介して、上ローラ軸に連結する。第一プーリ、タイミングベルト、第二プーリは、支持アーム１６内部に設ける。第二プーリは上ローラ軸に支持し、上搬送ローラ１２と左右方向に並ぶ。故に、上搬送ローラ１２は上搬送モータ１１２の動力で回転する。
【００１９】
上搬送エアシリンダ１２２が支持アーム１６を揺動することで、上搬送ローラ１２は挟持位置と上退避位置の間を移動する。図４では、挟持位置にある上搬送ローラ１２を実線で図示し、上退避位置にある上搬送ローラ１２を二点鎖線で図示する（図１７も同様）。上挟持位置にある上搬送ローラ１２は、下シート８と上シート６を、後述の下搬送ローラ２７０との間で上側から挟む。上退避位置にある上搬送ローラ１２は、上シート６から上方に退避する。
【００２０】
図２、図３、図５に示す如く、頭部５（図１参照）はノズルレバー揺動機構２２を備える。ノズルレバー揺動機構２２はノズルモータ１１３、支持軸２６、ノズルレバー９、ノズル１１を備える。ノズルモータ１１３は頭部５内部の左側に設けたパルスモータである。ノズルモータ１１３は、ウォームを固定した出力軸を備える。支持軸２６はウォーム上方で左右方向に延びる筒状である。支持軸２６は、ウォーム上端と噛み合うウォームホイール２５を支持する。支持軸２６は、ノズルモータ１１３の動力によってウォームホイール２５と共に回転する。支持軸２６の内部には後述の供給機構４５が供給する接着剤Ｚが流れる。
【００２１】
ノズルレバー９は、ウォームホイール２５左方に設け、支持軸２６左端から下側へ延びる腕状且つ箱状である。ノズルレバー９は内部に流路２１を備える。流路２１は支持軸２６の内部と連通する。ノズルレバー９の下端部は、ノズル装着部１０である。ノズル１１は、ノズル装着部１０から下方に突出し更に右方に突出する。ノズル１１右部は、左側面視略三角形の棒状である。ノズル１１は、ノズル装着部１０に螺子１４で装着する。ノズル１１はノズル装着部１０に対して着脱可能である。ノズル１１は内部にノズル流路を備える。ノズル流路は接着剤Ｚの流路であり、流路２１と連通する。ノズルレバー９は、流路２１近傍の内部にヒータ１３２（図１５参照）を備える。ヒータ１３２の熱はノズル装着部１０を介してノズル１１まで伝導する。
【００２２】
ノズル１１は、上支持部１１Ａ（図７参照）と吐出口１１Ｂを備える。上支持部１１Ａは、ノズル１１右部の上端部であり、上シート６を下側から支持する。吐出口１１Ｂは、ノズル１１の下面に形成し、上支持部１１Ａ下方にある。吐出口１１Ｂは、左右方向に沿って略等間隔に並ぶ複数の円形孔である。吐出口１１Ｂは下シート８に対して接着剤Ｚを吐出する。
【００２３】
ノズル装着部１０は、ノズル１１に代えてノズル１３（図５参照）を装着できる。ノズル１３は、上支持部と吐出口１３Ｂを備える。ノズル１３の上支持部は上支持部１１Ａに対応し、吐出口１３Ｂは吐出口１１Ｂに対応する。ノズル１１の吐出幅と、ノズル１３の吐出幅は互いに異なる。ノズル１１、１３の吐出幅は、吐出口１１Ｂ、１３Ｂの左右方向における形成範囲である。ノズル１１の吐出幅（寸法Ｌ１）は、ノズル１３の吐出（寸法Ｌ２）よりも長い。ノズル１１の吐出左端位置Ｘ１と、ノズル１３の吐出左端位置Ｘ２は、互いに異なる左右方向位置にある。吐出左端位置Ｘ１は、ノズル装着部１０に装着したノズル１１の吐出口１１Ｂの左端位置であり、吐出左端位置Ｘ２は、ノズル装着部１０に装着したノズル１３の吐出口１３Ｂの左端位置である。本実施形態では、ノズル１３の吐出左端位置Ｘ２は、ノズル１１の吐出左端位置Ｘ１よりも右側となる。以下、ノズル装着部１０にノズル１１を装着した接着装置１の構成を説明する。
【００２４】
支持軸２６はノズルレバー９を揺動可能に支持する。故に、支持軸２６はノズル１１を対向位置（図２参照）と離間位置（図１７参照）の間で変位可能に支持する。ノズル１１が対向位置にある場合、吐出口１１Ｂは、下方を向き、下シート８に対して上側から対向する。離間位置は、対向位置に対して、支持軸２６を中心に左側面視で反時計回り側となる位置である。ノズル１１が離間位置にある場合、吐出口１１Ｂは前下方を向く。
【００２５】
図２、図３に示す如く、頭部５は装着部４１と供給機構４５を備える。装着部４１は頭部５略中央部に設け、カバー４１Ａ（図１参照）、収容部４１Ｂ、蓋４１Ｃ、ヒータ１３１（図１５参照）を備える。カバー４１Ａは略直方体の箱状であり、頭部５上面から上方に延びる。カバー４１Ａは上下方向に開口する。収容部４１Ｂはカバー４１Ａ内部に設ける。収容部４１Ｂは略直方体の箱状であり、頭部５内部からカバー４１Ａ上端まで延びる。収容部４１Ｂは上方に開口する。収容部４１Ｂは内部にカートリッジ（図示略）を着脱可能に収容する。蓋４１Ｃは収容部４１Ｂの上側に着脱可能に設け、収容部４１Ｂ上部開口を開閉する。カートリッジは熱溶融性の接着剤Ｚを収容する。接着剤Ｚは所定温度に加熱すると液化し、所定温度より低い温度で固化する。ヒータ１３１は収容部４１Ｂに設ける。ヒータ１３１は収容部４１Ｂに収容したカートリッジを加熱する。接着剤Ｚはヒータ１３１の加熱により溶融して液化する。
【００２６】
供給機構４５は、収容部４１Ｂに収容したカートリッジの接着剤Ｚをノズル１１に供給する機構である。供給機構４５はポンプモータ１１４とギアポンプ４６を備える。ポンプモータ１１４はアーム部４（図１参照）内部に設ける。ポンプモータ１１４は出力軸１１４Ａを備える。ギアポンプ４６は装着部４１前側に設け、支持軸２６右端部に接続する。出力軸１１４Ａはギア４６Ａを介してギアポンプ４６に連結する。ギアポンプ４６は収容部４１Ｂに収容したカートリッジから接着剤Ｚを吸引する。ギアポンプ４６は吸引した接着剤Ｚを、支持軸２６とノズルレバー９を介して、ノズル１１に供給する。
【００２７】
図３、図４、図６、図７に示す如く、接着装置１は位置調整機構２４０と下搬送機構２６０を備える。位置調整機構２４０は、後述のノズル対向部材２３０（図６参照）の上下方向位置を調整する機構である。図４、図７に示す如く、位置調整機構２４０は、基台２１２、上下調整モータ２１４、プーリ２１５、螺子軸２２３、プーリ２１６、ベルト２２１、噛合体２２２、連結体２２４、支持体２２８、ノズル対向部材２３０を備える。基台２１２は土台３３に固定する。上下調整モータ２１４は基台２１２に設けた正逆回転可能なモータである。上下調整モータ２１４は、上下方向に沿う出力軸２１４Ａを備える。出力軸２１４Ａは、上下調整モータ２１４から下方に延びる。プーリ２１５は出力軸２１４Ａに固定する。螺子軸２２３は、上下方向に延び、上下調整モータ２１４後方で基台２１２に回転可能に設ける。螺子軸２２３は例えば雄螺子を形成した台形螺子である。プーリ２１６は、プーリ２１５と同じ上下方向位置にて螺子軸２２３に固定する。ベルト２２１は、プーリ２１５、２１６に架け渡す。噛合体２２２は上下方向に沿う筒状である。噛合体２２２は、開口孔２２２Ａを有する。開口孔２２２Ａは上下方向に開放し、内側に雌螺子を形成する。螺子軸２２３は開口孔２２２Ａに挿通して噛み合う。故に、螺子軸２２３は上下調整モータ２１４の動力で回転し、噛合体２２２は上下動する。連結体２２４は噛合体２２２に固定し、左右方向に延びる。支持体２２８は連結体２２４にて支持した板状部材である。支持体２２８は、左右方向に並ぶ一対の壁部２２７を有する。
【００２８】
ノズル対向部材２３０は支持体２２８上端に固定する。換言すると、ノズル対向部材２３０は噛合体２２２に固定する。ノズル対向部材２３０は、前後方向に沿って延びる板状であり、対向位置にあるノズル１１の吐出口１１Ｂに対して下側から対向する。ノズル対向部材２３０は、支持部５２（図２参照）と共に下シート８を下側から支持する。ノズル対向部材２３０は、支持体２２８と共に上下動する。故に位置調整機構２４０はノズル対向部材２３０の上下方向位置を調整する。
【００２９】
図６に示す如く、ノズル対向部材２３０は、孔部２３２、凸部２３３、貫通孔２３５、露出孔２２９を備える。孔部２３２は、上下方向に開放した平面視矩形状の孔であり、対向位置にあるノズル１１の吐出口１１Ｂの下側にある。凸部２３３は、孔部２３２後部に対して右側に設け、上側に突出する。貫通孔２３５は、孔部２３２の右方且つ凸部２３３の前方に設け、上下方向に開放する。貫通孔２３５は左右方向に長い。貫通孔２３５は、開口孔５９（図３参照）に対して右側となる左右方向位置にある。貫通孔２３５の内側領域は、後述の下検出位置Ｐを含む。露出孔２２９は、孔部２３２の後方に設け、上下方向に開放する。
【００３０】
図４、図６、図７に示す如く、下搬送機構２６０は支持体２２８にて支持する。下搬送機構２６０は、上下調整モータ２１４の動力で噛合体２２２と共に上下動する。下搬送機構２６０は、下搬送モータ２６２、プーリ２６４、搬送軸２６８、ローラ軸２６９、ベルト２６６、下搬送ローラ２７０、ノズル下ローラ２７５を備える。
【００３１】
下搬送モータ２６２は、支持体２２８のうちで右側の壁部２２７の右面にて固定する。下搬送モータ２６２は左右方向に沿う出力軸２６２Ａを備える。出力軸２６２Ａは、右側の壁部２２７から左方に突出する。プーリ２６４は出力軸２６２Ａ左端部に固定する。搬送軸２６８は、露出孔２２９下方で左右方向に延び、支持体２２８上端部にて回動可能に支持する。搬送軸２６８は、第一連結プーリを固定する。
【００３２】
ローラ軸２６９は左右方向に延びる。ローラ軸２６９は、搬送軸２６８前方且つ孔部２３２下方で、支持体２２８に回動可能に支持する。ローラ軸２６９は第二連結プーリを固定する。第二連結プーリの形状は、第一連結プーリの形状と同一である。ベルト２６６は、プーリ２６４、第一連結プーリ、第二プーリに架け渡す。下搬送ローラ２７０は、第一連結プーリ左方で搬送軸２６８に固定し、露出孔２２９から上側に突出する。下搬送ローラ２７０は、搬送軸２６８と共に左右方向を軸方向として回転する。下搬送ローラ２７０は、接触位置にある上搬送ローラ１２に対して下側から接触する。換言すると、上搬送ローラ１２は、下搬送ローラ２７０に対して上側から接触することで接触位置にて位置決めする。ノズル下ローラ２７５は、第二連結プーリ左方でローラ軸２６９に固定し、孔部２３２から上側に突出する。ノズル下ローラ２７５は、ローラ軸２６９と共に左右方向を軸方向として回転する。ノズル下ローラ２７５は金属材料によって形成される。ノズル下ローラ２７５の外周面は、左右方向に延びる溝を周方向に亘って複数有する。ノズル下ローラ２７５の外径は、下搬送ローラ２７０の外径と同じである。ノズル下ローラ２７５上端は、凸部２３３上端と略同じ上下方向位置にある。ノズル１１が対向位置にある場合、ノズル下ローラ２７５上端は、隙間を空けて、吐出口１１Ｂと対向する。下搬送機構２６０は下搬送モータ２６２の動力で下搬送ローラ２７０とノズル下ローラ２７５を回転する。下搬送ローラ２７０の外周面とノズル下ローラ２７５の外周面は、夫々の回転中心に対して、同一方向且つ同一速度で回転する。
【００３３】
以下、上搬送機構７０と下搬送機構２６０を総称する場合、搬送機構８０と称す。搬送機構８０は前後方向に沿って下シート８と上シート６を前側から後側へ搬送する。故に本実施形態では、下シート８と上シート６の搬送方向は前後方向であり、搬送方向上流側は前側であり、搬送方向下流側は後側である。
【００３４】
図８〜図１０を参照し、上支持機構３００を説明する。上支持機構３００は、上シート６を支持する機構であり、土台３３に設ける。図８、図９に示す如く、上支持機構３００は、案内部材３０２、可動体３０４、支持台３０５、支持部材３１５、位置決め部材３１０、土台エアシリンダ３０９、変更機構３２０を備える。
【００３５】
案内部材３０２は、土台３３内側に固定した左右方向に延びる棒状であり、前後方向に間隔を空けて二つ設ける。可動体３０４は、二つの案内部材３０２にて左右動可能に支持する。可動体３０４は、支持部５２（図２参照）の左部５３の右方且つ右部５４の後方に形成した空間を介して、支持部５２よりも上方に突出する。可動体３０４上端は平面である。支持台３０５は、平面視略矩形状の板状であり、可動体３０４上端に固定する。支持台３０５は可動体３０４と共に左右動する。
【００３６】
図１０に示す如く、支持部材３１５は、可動体３０４上端にて支持し、可動体３０４の左後部から左方に突出する。支持部材３１５は、左右方向と前後方向とに延び、支持部５２に対して平行である。支持部材３１５は、上支持面３１５Ａ、上流側下面３１５Ｂ、下流側下面３１５Ｃ、収容穴３１５Ｄ、上反射部３１５Ｅ、下反射部３１５Ｆを備える。上支持面３１５Ａは、上シート６を下側から支持する平面である。上支持面３１５Ａは、ノズル１１の上支持部１１Ａのうちで前端部の上端と同じ高さにある（図１１参照）。上流側下面３１５Ｂは支持部材３１５の下面の前側を形成し、下流側下面３１５Ｃは支持部材３１５の下面の後側を形成する。上流側下面３１５Ｂと下流側下面３１５Ｃは何れも、上支持面３１５Ａと平行である。下流側下面３１５Ｃは、上流側下面３１５Ｂよりも後側にある。
【００３７】
収容穴３１５Ｄは、上支持面３１５Ａの左後部に形成した左右方向に長い凹みである。上反射部３１５Ｅは、光を反射可能な材料によって形成した左右方向に延びる部材であり、収容穴３１５Ｄの内側に収容する。上反射部３１５Ｅは上支持面３１５Ａよりも下側にある。下反射部３１５Ｆは、光を反射可能な材料によって形成し、下流側下面３１５Ｃに設ける。
【００３８】
図８、図９に示す如く、位置決め部材３１０は、土台３３の前壁３３Ａ上端に形成した凹部３６に固定する。凹部３６は、土台３３の前壁３３Ａ上端から下方に凹む。位置決め部材３１０は、支持部５２（図２参照）の右部５４下方にある。可動体３０４は、位置決め部材３１０の右端に対して接離可能である。
【００３９】
可動体３０４は、作動位置（図８参照）と退避位置（図１７参照）との間で移動可能である。換言すると、土台３３は、可動体３０４を作動位置と退避位置との間で移動可能に支持する。作動位置は、位置決め部材３１０によって左方への移動を規制されて位置決めされる可動体３０４の左右方向位置である。本実施形態では、可動体３０４が位置決め部材３１０右端に接触することで、支持台３０５は左方への移動を規制される。可動体３０４が作動位置にある場合、支持部材３１５は、対向位置にあるノズル１１に対して前方にあり、ノズル１１の可動範囲に進入する。また、可動体３０４が作動位置にある場合、下流側下面３１５Ｃは、ノズル対向部材２３０の貫通孔２３５（図６参照）に対して上方から対向し、下反射部３１５Ｆは、貫通孔２３５内側領域の上方に位置する。退避位置は、位置決め部材３１０から右方に離隔する可動体３０４の左右方向位置である。可動体３０４が退避位置にある場合、支持部材３１５は、可動体３０４が作動位置にある時の位置に対して右側にずれた位置にあり、ノズル１１の可動範囲から退出する。
【００４０】
土台エアシリンダ３０９は、土台３３の内側に設けたエアシリンダである。土台エアシリンダ３０９は、左右方向に延びる軸を有する。土台エアシリンダ３０９の軸は、位置決め部材３１０後方で可動体３０４下部に連結する。故に、土台エアシリンダ３０９が軸を左右動することで、可動体３０４は作動位置と退避位置との間で移動する。
【００４１】
変更機構３２０は、位置決め部材３１０が可動体３０４に接触して位置決めする位置を左右方向に変更する機構である。即ち、変更機構３２０は可動体３０４の作動位置を変更できる。変更機構３２０は、挿通孔３２２と、二つの螺子穴３３３、二つの螺子部材３３４を備える。挿通孔３２２は、位置決め部材３１０に設け、土台３３の前壁３３Ａ前方にある。挿通孔３２２は位置決め部材３１０を前後方向に貫通し、左右方向に長い。二つの螺子穴３３３は前壁３３Ａに設けた正面視円形状の穴である。二つの螺子穴３３３は夫々挿通孔３２２に後方から対向する。二つの螺子部材３３４は何れも挿通孔３２２に前方から挿通する。挿通孔３２２に挿通した二つの螺子部材３３４は夫々、二つの螺子穴３３３に締結する。
【００４２】
図４、図８〜図１３を参照し、下挟持機構５００を説明する。下挟持機構５００は、支持部材３１５の上流側下面３１５Ｂとの間で下シート８の下特定端部８Ａ（図１８参照）を挟み、且つ下特定端部８Ａを左右動する機構である。図８、図９、図１３に示す如く、下挟持機構５００は、下支持体５０２、下モータ支持部材５０４、下アーム５０７、下回動軸５０６（図１２参照）、下挟持ローラ５０１、下モータ５０５、連結軸５０８、下駆動連結部５１０（図１１参照）、下保持体５１５、ボルト５２１、ナット５２２、下弾性部材５０９、下エアシリンダ５２５を備える。
【００４３】
下支持体５０２は、土台３３に固定した箱状であり、支持部５２（図２参照）の左部５３下方にある。下モータ支持部材５０４は、前後方向に延び、下支持体５０２に挿通して下支持体５０２にて回動可能に支持する。下モータ支持部材５０４の回動中心は、前後方向に延びる下軸線Ｕである。下モータ支持部材５０４は、下支持体５０２に対して前方と後方とに突出し、支持部５２の下側にある。下モータ支持部材５０４は、中央部に下軸挿通孔を有する。下軸挿通孔は、正面視で下軸線Ｕを中心とした円形状であり、前後方向に開放する。
【００４４】
下アーム５０７は、下モータ支持部材５０４後端に固定し、下モータ支持部材５０４から上側且つ右側に延びる。下アーム５０７は腕状且つ箱状であり、下モータ支持部材５０４と共に下軸線Ｕを中心に回動可能である。下アーム５０７の上端部である先端部５０７Ａは、平面視で開口孔５９の下側にある（図１０参照）。下アーム５０７は下端部である基端部に下孔を有する。下孔は、下軸挿通孔と同軸の円形状であり、前後方向に開放する。下回動軸５０６（図１２参照）は、先端部５０７Ａから後方に突出し、前後方向を軸方向として回動可能な軸である。下挟持ローラ５０１は下回動軸５０６後端部にて支持する。即ち、下挟持ローラ５０１は、下回動軸５０６と共に前後方向を軸方向として回動可能である。
【００４５】
図１０、図１１に示す如く、下挟持ローラ５０１は平面視で開口孔５９内側にあり、ノズル対向部材２３０の貫通孔２３５（図６参照）に対して左側にある。可動体３０４が作動位置（図８参照）にある場合、下挟持ローラ５０１は、支持部材３１５の上流側下面３１５Ｂとの間で、下シート８を挟持可能である。下挟持ローラ５０１は、前端部にローラ端部４９９を有する。ローラ端部４９９は、前側に向かうにつれて下挟持ローラ５０１の径方向中心側に向かう湾曲した形状を呈する。下挟持ローラ５０１は、下モータ支持部材５０４と共に下軸線Ｕを中心に回動可能である。
【００４６】
下モータ支持部材５０４は、下接触位置（図１２参照）と下離隔位置（図１２参照）との間を、下軸線Ｕを中心に回動する。下接触位置は、下挟持ローラ５０１上端が、上流側下面３１５Ｂと同じ高さ位置となる下モータ支持部材５０４の回動位置である。図１２では、下モータ支持部材５０４が下接触位置にあるときの下挟持ローラ５０１を実線で図示する。可動体３０４が作動位置にあり且つ下モータ支持部材５０４が下接触位置にある場合、下挟持ローラ５０１は、支持部材３１５の上流側下面３１５Ｂに接触する。下離隔位置は、下挟持ローラ５０１上端が、上流側下面３１５Ｂよりも下方となる高さ位置にある下モータ支持部材５０４の回動位置である。図１２では、下モータ支持部材５０４が下離隔位置にあるときの下挟持ローラ５０１を二点鎖線で図示する。
【００４７】
図１３に示す如く、下モータ５０５は、下支持体５０２前方に設けた正逆回転可能なモータである。下モータ５０５は、下モータ支持部材５０４と共に下軸線Ｕを中心に回動可能である。下モータ５０５は筐体５０３と出力軸を備える。筐体５０３は下モータ支持部材５０４前端に固定する。出力軸は筐体５０３から後方に突出する。下モータ５０５の出力軸は、下モータ支持部材５０４の下軸挿通孔に挿通し、下支持体５０２内部まで突出する。連結軸５０８は、下モータ支持部材５０４前端から左方に突出する。連結軸５０８は左端部に溝部５１９を設ける。溝部５１９は、連結軸５０８の外周面に周方向に亘って形成し、且つ連結軸５０８の中心側に向けて凹む。
【００４８】
図１１に示す如く、下駆動連結部５１０は、軸部材５１８、下駆動プーリ５１１、下従動プーリ、下ベルト５１３を備える。軸部材５１８は、下モータ支持部材５０４の下軸挿通孔と、下アーム５０７の下孔とに挿通した前後方向に延びる軸である。軸部材５１８前端部は、継手を介して下モータ５０５（図１３参照）の出力軸の先端部に連結する。軸部材５１８後端部は下アーム５０７基端部の内部にある。下駆動プーリ５１１は軸部材５１８後端部に固定する。下従動プーリは下回動軸５０６（図１２参照）の前部に固定する。下ベルト５１３は下駆動プーリ５１１と下従動プーリに架け渡す。故に、下駆動連結部５１０は下モータ５０５と下挟持ローラ５０１を連結し、下モータ５０５は下挟持ローラ５０１を駆動できる。
【００４９】
図１３に示す如く、下保持体５１５は、背面視Ｌ字状の板状部材であり、下支持体５０２左面に固定する。下保持体５１５は貫通孔５１６、下螺子孔５１７を備える。貫通孔５１６は、下保持体５１５の上部を左右方向に貫通し、上下方向に長い。連結軸５０８は貫通孔５１６に挿通し、溝部５１９は貫通孔５１６左方にある。下螺子孔５１７は下保持体５１５の左下部を上下方向に貫通する。
【００５０】
ボルト５２１は頭部５２１Ａ、軸部５２１Ｂ、連結孔５２１Ｃを備える。頭部５２１Ａは下保持体５１５下方にある。軸部５２１Ｂは頭部５２１Ａから上方に延び、下螺子孔５１７にねじ込む。連結孔５２１Ｃは軸部５２１Ｂ上端に形成した丸孔であり、下螺子孔５１７上方にある。ナット５２２は、軸部５２１Ｂに挿通して、下保持体５１５の左下部の上面に押圧して固定する。故にボルト５２１は下保持体５１５に締結する。ナット５２２は連結孔５２１Ｃ下方にある。以下、下螺子孔５１７、ボルト５２１、ナット５２２を総称して下調整機構５２０と称す。
【００５１】
下弾性部材５０９は、一例として上下方向に弾性変形可能な引張バネである。下弾性部材５０９上端は溝部５１９に係合し、下弾性部材５０９下端は連結孔５２１Ｃに係合する。換言すると、下弾性部材５０９は、下モータ支持部材５０４と下支持体５０２を連結する。下弾性部材５０９は、伸張した状態で配置する。下弾性部材５０９は、下軸線Ｕを中心に正面視で反時計回りに下モータ支持部材５０４を付勢する。即ち、下弾性部材５０９は、下離隔位置から下接触位置に向かう回動方向に下モータ支持部材５０４を付勢する。
【００５２】
下エアシリンダ５２５は、下保持体５１５の右上部の左面に固定し、連結軸５０８下方にある。下エアシリンダ５２５は下ロッド５２６を有する。下ロッド５２６は、軸方向である上下方向に移動可能である。下エアシリンダ５２５は、下付勢位置（図１９参照）と、下退却位置（図１３参照）との間で下ロッド５２６を上下動する。下付勢位置は下ロッド５２６の可動範囲の上端であり、下退却位置は下ロッド５２６の可動範囲の下端である。下付勢位置にある下ロッド５２６は、連結軸５０８を上方に付勢する。即ち、下付勢位置にある下ロッド５２６は、下軸線Ｕを中心に正面視時計回りに下モータ支持部材５０４を付勢し、下モータ支持部材５０４を下離隔位置で保持する。下退却位置にある下ロッド５２６は、連結軸５０８から下方に離隔する。下モータ支持部材５０４は下接触位置で保持する。
【００５３】
図１１、図１２を参照し、下検出機構５３０を説明する。下検出機構５３０は、下シート８の下特定端部８Ａ（図１８参照）が後述の下検出位置Ｐにあるか否かを検出する機構である。下検出機構５３０は、下固定部材５３２と下検出部５３５を備える。下固定部材５３２は、支持部５２（図２参照）下方で土台３３に固定する。下検出部５３５は、下固定部材５３２に固定した光学式センサであり、ノズル対向部材２３０の貫通孔２３５（図６参照）内側領域の下方に位置する（図６参照）。下検出部５３５は、下発光部５３５Ａ（図１５参照）と下受光部５３５Ｂ（図１５参照）を備える。下発光部５３５Ａと下受光部５３５Ｂは互いに同じ高さ位置に設ける。下発光部５３５Ａは貫通孔２３５の内側領域に向けて光を発光する。下受光部５３５Ｂは下発光部５３５Ａが発光した光を受光可能である。
【００５４】
貫通孔２３５上方にある下特定端部８Ａは、下発光部５３５Ａが発光した光を遮断し、下受光部５３５Ｂは、下発光部５３５Ａが発光した光を受光しない。可動体３０４が作動位置にあり、且つ下特定端部８Ａが貫通孔２３５上方にない場合、下発光部５３５Ａが発光した光は、下反射部３１５Ｆによって下方に反射される。下受光部５３５Ｂは下発光部５３５Ａが発光した光を受光する。故に下検出部５３５は、貫通孔２３５上方に下特定端部８Ａがあるか否かを検出できる。以下、貫通孔２３５内側領域のうちで、下発光部５３５Ａの真上にある位置を、下検出位置Ｐと称す。下検出位置Ｐは、対向位置にあるノズル１１の吐出口１１Ｂと下挟持ローラ５０１との間となる所定の前後方向位置であり、且つ下挟持ローラ５０１に対して右側となる位置である（図６参照）。換言すると、貫通孔２３５は下検出位置Ｐにて上下方向に開放し、下検出部５３５は下検出位置Ｐに下特定端部８Ａがあるか否かを検出する。
【００５５】
図１０、図１４を参照し、上挟持機構６００を説明する。上挟持機構６００は、固定台６４１、上連結部材６４２、係合ピン６４７、上支持体６０２、上モータ支持部材６０４、上アーム６０７、上回動軸６０６、上挟持ローラ６０１、上モータ６０５、当接部６０８、上駆動連結部６１０（図２３参照）、上弾性部材６０９、上エアシリンダ６２５を備える。
【００５６】
固定台６４１は、アーム部４に固定した板状部材である。上連結部材６４２は、固定台６４１の右前部の上面に固定した板状部材である。上連結部材６４２は、複数の係合穴６４９を備える。複数の係合穴６４９は、固定台６４１前方に位置し、左右方向に等間隔に並ぶ。係合穴６４９の個数は一例として三個である。係合ピン６４７は、複数の係合穴６４９の何れか一つに選択的に係合するピンである。図１４の係合ピン６４７は、右側の係合穴６４９に係合する。係合ピン６４７は上連結部材６４２から下側に突出する。以下、上連結部材６４２、係合ピン６４７、複数の係合穴６４９を総称して上調整機構６２０と称す。
【００５７】
上支持体６０２は、上連結部材６４２左方で、固定台６４１下面に固定した箱状体である。即ち、上支持体６０２は、上連結部材６４２に連結する。上モータ支持部材６０４は、前後方向に延びる部材であり、上支持体６０２に挿通して上支持体６０２にて回動可能に支持する。上モータ支持部材６０４の回動中心は、前後方向に延びる上軸線Ｗである。上モータ支持部材６０４は、上支持体６０２に対して前方と後方とに突出する。上モータ支持部材６０４は前端部に、上側に突出する連結ピン６０４Ａを有する。上モータ支持部材６０４は、中央部に上軸挿通孔を有する。上軸挿通孔は、正面視で上軸線Ｗを中心とした円形状であり、前後方向に開放する。
【００５８】
上アーム６０７は、上モータ支持部材６０４の前端に固定し、上モータ支持部材６０４から下側且つ左側に延びる。上アーム６０７は腕状且つ箱状であり、下モータ支持部材５０４と共に上軸線Ｗを中心に回動可能である。上アーム６０７の下端部である先端部６０７Ａは、開口孔５９の上側にある。上アーム６０７は上端部である基端部に上孔を有する。上孔は、上軸挿通孔と同軸の円形状であり、前後方向に開放する。上回動軸６０６は、先端部６０７Ａから後方に突出し、前後方向を軸方向として回動可能な軸である。上挟持ローラ６０１は、上回動軸６０６後端部に支持する。即ち、上挟持ローラ６０１は、上回動軸６０６と共に前後方向を軸方向として回動可能である。
【００５９】
上挟持ローラ６０１は支持部材３１５の上側にある。上挟持ローラ６０１は、上モータ支持部材６０４と共に上軸線Ｗを中心に回動可能である。上挟持ローラ６０１は、前側端部にローラ端部６９９を有する。ローラ端部６９９は、前側に向かうにつれて、上挟持ローラ６０１の径方向中心側に向かう湾曲した形状を呈する。ローラ端部６９９は、下挟持ローラ５０１のローラ端部４９９と同一の形状を呈する。
【００６０】
上モータ支持部材６０４は、上接触位置（図１２参照）と上離隔位置（図１２参照）との間を、上軸線Ｗを中心に回動する。上接触位置は、上挟持ローラ６０１下端が支持部材３１５の上支持面３１５Ａと同じ高さ位置となる上モータ支持部材６０４の回動位置である。図１２では、上モータ支持部材６０４が上接触位置にあるときの上挟持ローラ６０１を実線で図示する。可動体３０４が作動位置にあり且つ上モータ支持部材６０４が上接触位置にある場合、上挟持ローラ６０１は、支持部材３１５の上支持面３１５Ａに接触する。上離隔位置は、上挟持ローラ６０１下端が、上支持面３１５Ａよりも上方となる上モータ支持部材６０４の回動位置である。図１２では、上モータ支持部材６０４が上離隔位置にあるときの上挟持ローラ６０１を二点鎖線で図示する。
【００６１】
上モータ６０５は、上支持体６０２後方に設けた正逆回転可能なモータである。上モータ６０５は筐体６０５Ａと出力軸を備える。筐体６０５Ａは下モータ支持部材５０４後端に固定する。故に上モータ６０５は、上モータ支持部材６０４と共に上軸線Ｗを中心に回動可能である。上モータ６０５の出力軸は、筐体６０５Ａから前方に突出し、上モータ支持部材６０４の上軸挿通孔に挿通する。当接部６０８は、正面視Ｌ字状の板状部材であり、上モータ支持部材６０４後端の右面に固定する。
【００６２】
上駆動連結部６１０（図２３参照）は、上軸部材、上駆動プーリ、上従動プーリ、上ベルト６１３（図２３参照）を備える。上軸部材は、上モータ支持部材６０４の上軸挿通孔と、上アーム６０７の上孔とに挿通した前後方向に延びる軸である。上軸部材の後端部は、継手を介して上モータ６０５の出力軸の先端部に連結する。上軸部材の前端部は、上アーム６０７基端部の内部にある。上駆動プーリは、上軸部材の前端部に固定する。上従動プーリは上回動軸６０６の前部に固定する。上ベルト６１３は、上駆動プーリと上従動プーリに架け渡す。故に、上駆動連結部６１０は上モータ６０５と上挟持ローラ６０１を連結し、上モータ６０５は上挟持ローラ６０１を駆動できる。
【００６３】
図１４で示す上弾性部材６０９は、一例として左右方向に弾性変形可能な引張バネである。上弾性部材６０９左端は連結ピン６０４Ａに係合し、上弾性部材６０９右端は係合ピン６４７に係合する。換言すると、上弾性部材６０９は、上モータ支持部材６０４と上支持体６０２を連結する。上弾性部材６０９は伸張した状態で配置する。上弾性部材６０９は、上軸線Ｗを中心に正面視で時計回りに上モータ支持部材６０４を付勢する。即ち、上弾性部材６０９は、上接触位置から上離隔位置に向かう回動方向に上モータ支持部材６０４を付勢する。上モータ支持部材６０４は、上アーム６０７、上駆動連結部６１０等の自重によって上接触位置に向かう力が働く。上弾性部材６０９は、上モータ支持部材６０４に働く上記の力を低減する。
【００６４】
上エアシリンダ６２５は固定台６４１の右後部の下面に固定する。上エアシリンダ６２５は上ロッド６２６を有する。上ロッド６２６は、当接部６０８の右部の上方にあり、軸方向である上下方向に移動可能である。上エアシリンダ６２５は、上付勢位置（図２０参照）上退却位置（図１４参照）との間で、上ロッド６２６を上下動する。上付勢位置は上ロッド６２６の可動範囲の下端であり、上退却位置は上ロッド６２６の可動範囲の上端である。上付勢位置にある上ロッド６２６は、当接部６０８を下方に付勢する。即ち、上付勢位置にある上ロッド６２６は、上軸線Ｗを中心に正面視で時計回りに上モータ支持部材６０４を付勢し、上モータ支持部材６０４を上離隔位置で保持する。上退却位置にある上ロッド６２６は、当接部６０８から上方に離隔する。上モータ支持部材６０４は上接触位置で保持する。
【００６５】
図１２、図１４を参照し、上検出部支持機構６６０を説明する。上検出部支持機構６６０は上固定部材６３２、二つの締結穴６３９、保持部材６３３、長孔６３８、二つの締結部材６３７を備える。上固定部材６３２は、アーム部４（図１参照）に固定する。上固定部材６３２は、アーム部４から下方に延びる板状部材である。二つの締結穴６３９は、上固定部材６３２下端部に、左右方向に並んで設ける。保持部材６３３は、上固定部材６３２下端部の前方に設けた左右方向に延びる部材である。長孔６３８は、保持部材６３３の右部を前後方向に貫通する。長孔６３８は、左右方向に長く、二つの締結穴６３９の夫々に前方から対向する。二つの締結部材６３７は何れも長孔６３８に前方から挿通する。長孔６３８に挿通した二つの締結部材６３７は夫々、二つの締結穴６３９に締結する。故に保持部材６３３は上固定部材６３２に固定する。
【００６６】
保持部材６３３は上検出部６３５を保持する。上検出部６３５は公知の光学式センサである。可動体３０４が作動位置にあるとき、上検出部６３５は、支持部材３１５の収容穴３１５Ｄ（図１０参照）内側領域の上方に位置する。上検出部６３５は、上発光部６３５Ａ（図１５参照）と上受光部６３５Ｂ（図１５参照）を備える。上発光部６３５Ａと上受光部６３５Ｂは互いに同じ高さ位置に設ける。上発光部６３５Ａは、収容穴３１５Ｄ内側領域に向けて光を発光する。上受光部６３５Ｂは上発光部６３５Ａが発光した光を受光可能である。
【００６７】
収容穴３１５Ｄ上方にある上特定端部６Ａ（図１８参照）は、上発光部６３５Ａが発光した光を遮断し、上受光部６３５Ｂは、上発光部６３５Ａが発光した光を受光しない。可動体３０４が作動位置にあり、且つ上特定端部６Ａが収容穴３１５Ｄ上方にない場合、上発光部６３５Ａが発光した光は、上反射部３１５Ｅによって上方に反射される。上受光部６３５Ｂは上発光部６３５Ａが発光した光を受光する。故に上検出部６３５は、収容穴３１５Ｄの上方に上特定端部６Ａがあるか否かを検出できる。以下、可動体３０４が作動位置にある場合において、収容穴３１５Ｄ内側領域のうちで、上発光部６３５Ａの真下にある位置を、上検出位置Ｑ（図１０参照）と称す。上検出位置Ｑは、対向位置にあるノズル１１の吐出口１１Ｂと上挟持ローラ６０１との間となる所定の前後方向位置であり、且つ上挟持ローラ６０１に対して左側となる位置である。上検出位置Ｑは、下検出位置Ｐと略同じ前後方向位置である。上検出部６３５は、上検出位置Ｑに上特定端部６Ａがあるか否かを検出する。
【００６８】
図１５を作成し、接着装置１の電気的構成を説明する。接着装置１は制御装置１００を備える。制御装置１００はＣＰＵ１０１、ＲＯＭ１０２、ＲＡＭ１０３、記憶装置１０４、駆動回路１０５、１０６を備える。ＣＰＵ１０１は接着装置１の動作を統括制御する。ＣＰＵ１０１はＲＯＭ１０２、ＲＡＭ１０３、記憶装置１０４、スイッチ１９、踏板７、下検出部５３５、上検出部６３５、駆動回路１０５、１０６、ヒータ１３１、１３２と接続する。ＲＯＭ１０２は、各種処理を実行するプログラムを記憶する。ＲＡＭ１０３は各種情報を一時的に記憶する。記憶装置１０４は不揮発性であり、各種設定値等を記憶する。スイッチ１９は頭部５前面下部に設ける。作業者は、スイッチ１９を操作して接着装置１に各種指示を入力する。スイッチ１９は各種指示を示す情報を検出結果としてＣＰＵ１０１に出力する。踏板７は作業台下部に設け、作業者が足で操作する。作業者は、踏板７を介して、後述の接着処理の開始指示又は終了指示を入力する。踏板７は、接着処理の開始指示又は終了指示を示す情報を、検出結果としてＣＰＵ１０１に出力する。下検出部５３５と上検出部６３５は夫々、検出結果をＣＰＵ１０１に出力する。
【００６９】
ＣＰＵ１０１は、駆動回路１０５を介して、下搬送モータ２６２、上搬送モータ１１２、ノズルモータ１１３、ポンプモータ１１４、上下調整モータ２１４、下モータ５０５、上モータ６０５の夫々に対して制御信号を送信して駆動制御する。ＣＰＵ１０１は、駆動回路１０６を介して、上搬送エアシリンダ１２２、土台エアシリンダ３０９、下エアシリンダ５２５、上エアシリンダ６２５の夫々を駆動制御する。ＣＰＵ１０１は、ヒータ１３１、１３２を駆動させる。ヒータ１３１は収容部４１Ｂ（図２参照）に収容したカートリッジを加熱する。ヒータ１３２は、ノズルレバー９内部を吐出口１１Ｂに向けて流れる接着剤Ｚを加熱する。接着剤Ｚは、ヒータ１３１、１３２の加熱により溶融して液化する。
【００７０】
図１６〜図２４を参照し、メイン処理を説明する。例えば、作業者がメイン処理の開始指示をスイッチ１９に入力する。ＣＰＵ１０１は、メイン処理を開始するプログラムをＲＯＭ１０２から読み出して、メイン処理を開始する。メイン処理の開始前、接着装置１は初期状態である（図１参照）。接着装置１が初期状態である場合、ノズル１１は対向位置にあり、上搬送ローラ１２は挟持位置にあり、下ロッド５２６は下退却位置にあり、上ロッド６２６は上退却位置にあり、下モータ支持部材５０４は下接触位置にあり、上モータ支持部材６０４は上接触位置にあり、可動体３０４は作動位置にある。
【００７１】
図１６〜図２０に示す如く、ＣＰＵ１０１は、スイッチ１９の検出結果に基づき、ローラ移動指示を検出したか否かを判断する（Ｓ１１）。ローラ移動指示は、上搬送ローラ１２、下挟持ローラ５０１、上挟持ローラ６０１を夫々移動させる指示である。ＣＰＵ１０１は、ローラ移動指示を検出するまで（Ｓ１１：ＮＯ）、待機する。作業者がスイッチ１９にローラ移動指示を入力すると（Ｓ１１：ＹＥＳ）、ＣＰＵ１０１は、上搬送エアシリンダ１２２（図１５参照）を駆動制御して上搬送ローラ１２を上昇する。上搬送ローラ１２は上接触位置から上退避位置に移動する（図１７参照）。
【００７２】
ＣＰＵ１０１は、下エアシリンダ５２５を駆動制御して、下挟持ローラ５０１を下降する（Ｓ１５）。下エアシリンダ５２５の駆動により、下ロッド５２６は下退却位置から下付勢位置に移動する（図１９参照）。下モータ支持部材５０４は、下弾性部材５０９の付勢力に抗って下接触位置から下離隔位置に回動し（図１７の矢印Ｄ１）、下挟持ローラ５０１は下方に回動する（図１２参照）。
【００７３】
ＣＰＵ１０１は、上エアシリンダ６２５を駆動制御して、上挟持ローラ６０１を上昇する（Ｓ１７）。上エアシリンダ６２５の駆動により、上ロッド６２６は上退却位置から上付勢位置に移動する（図２０参照）。上モータ支持部材６０４は、上アーム６０７、上駆動連結部６１０等の自重に抗って、上接触位置から上離隔位置に回動する（図１７の矢印Ｆ１）。上挟持ローラ６０１は支持部材３１５の上支持面３１５Ａ（図１０参照）から上方に離隔する（図１２参照）。ＣＰＵ１０１は、土台エアシリンダ３０９を駆動制御して、可動体３０４を作動位置から退避位置に移動する（Ｓ１９）。支持部材３１５は、ノズル１１の可動範囲から右方に退出し、下挟持ローラ５０１の右上方、且つ上挟持ローラ６０１の右下方に位置する（図１７参照）。
【００７４】
ＣＰＵ１０１は、スイッチ１９の検出結果に基づき、ノズル変位指示を検出したか否を判断する（Ｓ２１）。ノズル変位指示は、ノズル１１を変位させる支持である。ＣＰＵ１０１は、ノズル変位指示を検出するまで（Ｓ２１：ＮＯ）、待機する。作業者がノズル変位指示をスイッチ１９に入力すると（Ｓ２１：ＹＥＳ）、ＣＰＵ１０１は、ノズルモータ１１３を駆動制御して、ノズル１１を対向位置から離間位置に変位させる（Ｓ２３）。ＣＰＵ１０１は、所定のパルス信号を制御信号としてノズルモータ１１３に入力する。可動体３０４が退避位置にあるので、ノズル１１は支持台３０５に接触することなく離間位置まで変位する（図１７参照）。ノズル１１が離間位置に到達したとき、ＣＰＵ１０１はノズルモータ１１３の駆動を停止する。
【００７５】
ＣＰＵ１０１は、スイッチ１９の検出結果に基づき、ノズル変位指示を検出したか否かを判断する（Ｓ２５）。ＣＰＵ１０１は、ノズル変位指示を検出するまで（Ｓ２５：ＮＯ）、待機する。ＣＰＵ１０１の待機中（Ｓ２５：ＮＯ）、作業者は、支持部５２の左部５３とノズル対向部材２３０とに下シート８を載置する。ノズル対向部材２３０に載置した下特定端部８Ａは、例えば、貫通孔２３５（図６参照）よりも右側に位置する。下搬送ローラ２７０、ノズル対向部材２３０の凸部２３３、ノズル下ローラ２７５は何れも、下シート８に対して下側から接触する。下シート８を載置した作業者が、スイッチ１９にノズル変位指示を入力すると（Ｓ２５：ＹＥＳ）、ＣＰＵ１０１は、ノズルモータ１１３を駆動制御し、ノズル１１を離間位置から対向位置まで変位させる（Ｓ２７）。ＣＰＵ１０１が、制御信号として所定のパルス信号をノズルモータ１１３に入力することで、ノズル１１は対向位置まで変位する（図１８参照）。吐出口１１Ｂは上方から下シート８に対向する。
【００７６】
ＣＰＵ１０１は高さ調整処理を実行する（Ｓ２９）。高さ調整処理は、ノズル対向部材２３０の上下方向位置を調整する処理である。例えば、作業者が、ノズル対向部材２３０を上昇する指示又は下降する指示を、スイッチ１９に入力する。ＣＰＵ１０１は、スイッチ１９の検出結果に応じて、上下調整モータ２１４（図７参照）を駆動制御して、ノズル対向部材２３０を上下動する（図７の矢印Ｅ）。作業者は、下シート８と吐出口１１Ｂ（図５参照）との間に適度な隙間が生じるようにスイッチ１９を操作する。該場合、可動体３０４は退避位置にあり、上シート６は支持台３０５に載置していない。故に、作業者は、ノズル対向部材２３０と吐出口１１Ｂの上下方向距離を視認し易い。作業者が、高さ調整処理を終了する指示をスイッチ１９に入力すると、ＣＰＵ１０１は処理をＳ３１に移行する。
【００７７】
ＣＰＵ１０１は、土台エアシリンダ３０９を駆動制御して、可動体３０４を退避位置から作動位置まで移動する（Ｓ３１）。支持部材３１５は、下挟持ローラ５０１の上方、且つ上挟持ローラ６０１の下方となる位置まで移動する（図１８参照）
【００７８】
ＣＰＵ１０１は、スイッチ１９の検出結果に基づき、ローラ移動指示を検出したか否かを判断する（Ｓ３３）。ＣＰＵ１０１は、ローラ移動指示を検出するまで（Ｓ３３：ＮＯ）、待機する。ＣＰＵ１０１の待機中（Ｓ３３：ＮＯ）、作業者は、上支持部１１Ａ（図７参照）、上支持面３１５Ａ、支持台３０５に上シート６を載置する。上シート６後端部は、下搬送ローラ２７０と上搬送ローラ１２の間で、下シート８後端部に上側から重なる（図２２参照）。上シート６を載置した作業者が、スイッチ１９にローラ移動指示を入力すると（Ｓ３３：ＹＥＳ）、ＣＰＵ１０１は、上搬送エアシリンダ１２２を駆動制御して、上搬送ローラ１２を上接触位置まで下降する（Ｓ３５）。上搬送ローラ１２は、下シート８と上シート６を下搬送ローラ２７０との間で上側から挟む（図２２参照）。
【００７９】
ＣＰＵ１０１は、下エアシリンダ５２５を駆動制御して、下挟持ローラ５０１を上昇させる（Ｓ３７）。下エアシリンダ５２５の駆動により、下ロッド５２６は下付勢位置から下退却位置に移動する（図１３参照）。下モータ支持部材５０４は、下弾性部材５０９の付勢力によって、下離隔位置から下接触位置まで回動する（図１８の矢印Ｄ２）。下挟持ローラ５０１は、支持部材３１５の上流側下面３１５Ｂとの間で下シート８を挟む（図２２参照）。
【００８０】
ＣＰＵ１０１は、上エアシリンダ６２５を駆動制御して、上挟持ローラ６０１を下降する（Ｓ３９）。上エアシリンダ６２５の駆動により、上ロッド６２６は上付勢位置から上退却位置まで移動する（図１４参照）。上モータ支持部材６０４は、上アーム６０７、上駆動連結部６１０等の自重によって、上離隔位置から上接触位置まで回動する（図１８の矢印Ｆ２）。上挟持ローラ６０１は、上支持面３１５Ａとの間で上シート６を挟む（図２２参照）。ＣＰＵ１０１は接着処理を実行する（Ｓ４１）。
【００８１】
図２２〜図２４を参照し、接着処理を説明する。接着処理は、下シート８の下特定端部８Ａと、上シート６の上特定端部６Ａを接着剤Ｚで接着する処理である。例えば、作業者が踏板７を足で操作することで、接着処理の開始指示を入力すると、ＣＰＵ１０１はＲＯＭ１０２から接着処理プログラムを読み出して、接着処理を開始する。
【００８２】
ＣＰＵ１０１は、ヒータ１３１、１３２を駆動し、且つポンプモータ１１４を駆動制御し、接着剤Ｚの吐出を開始する（Ｓ５１）。ヒータ１３１、１３２の発熱によって、接着剤Ｚは液化する。ポンプモータ１１４の駆動によって、供給機構４５は、接着剤Ｚをノズル１１に供給する。吐出口１１Ｂ（図５参照）は、下方にある下特定端部８Ａに向けて接着剤Ｚを吐出する（図２２参照）。
【００８３】
ＣＰＵ１０１は、上搬送モータ１１２と下搬送モータ２６２を駆動制御して、上搬送ローラ１２と下搬送ローラ２７０の夫々の駆動を開始する（Ｓ５３）。上搬送ローラ１２と下搬送ローラ２７０は、協働して下シート８と上シート６を後側へ搬送する（図２２の矢印Ｙ参照）。ノズル下ローラ２７５は、下搬送ローラ２７０と共に回転し、下シート８を補助的に後方に向けて搬送する。吐出口１１Ｂが下特定端部８Ａに接着剤Ｚを塗布しながら、上搬送ローラ１２、下搬送ローラ２７０、ノズル下ローラ２７５は、下シート８と上シート６を後側に搬送する。
【００８４】
ＣＰＵ１０１は、下検出部５３５の検出結果に基づき、下特定端部８Ａが下検出位置Ｐにあるか否かを判断する（Ｓ５５）。下検出位置Ｐに下特定端部８Ａがあることを下検出部５３５が検出した場合（図２３参照）、ＣＰＵ１０１は、下特定端部８Ａが下検出位置Ｐにあると判断する（Ｓ５５：ＹＥＳ）。ＣＰＵ１０１は、下モータ５０５を駆動制御して、下挟持ローラ５０１を第一出力方向に回転駆動する（Ｓ５７）。第一出力方向は、下挟持ローラ５０１上端が左側に向かう回転方向であり、図２３の矢印Ｈ１に相当する。第一出力方向に回転する下挟持ローラ５０１は、下特定端部８Ａを左側に移動する（図２３の矢印Ａ１）。ＣＰＵ１０１は処理をＳ６１に移行する。
【００８５】
下検出位置Ｐに下特定端部８Ａがないことを下検出部５３５が検出した場合（図２４参照）、ＣＰＵ１０１は、下特定端部８Ａが下検出位置Ｐにないと判断する（Ｓ５５：ＮＯ）。ＣＰＵ１０１は、下モータ５０５を駆動制御して、下挟持ローラ５０１を第二出力方向に回転駆動する（Ｓ５９）。第二出力方向は第一出力方向と反対方向であり、図２４の矢印Ｈ２に相当する。第二出力方向に回転する下挟持ローラ５０１は下特定端部８Ａを右側に移動する（図２４の矢印Ａ２）。ＣＰＵ１０１は処理をＳ６１に移行する
【００８６】
ＣＰＵ１０１は、上検出部６３５の検出結果に基づき、上特定端部６Ａが上検出位置Ｑにあるか否かを判断する（Ｓ６１）。上検出位置Ｑに上特定端部６Ａがあることを上検出部６３５が検出した場合（図２３参照）、ＣＰＵ１０１は、上特定端部６Ａが上検出位置Ｑにあると判断する（Ｓ６１：ＹＥＳ）。ＣＰＵ１０１は、上モータ６０５を駆動制御して、上挟持ローラ６０１を第三出力方向に回転駆動する（Ｓ６３）。第三出力方向は、上挟持ローラ６０１下端が右側に向かう回転方向であり、図２３の矢印Ｈ３に相当する。第三出力方向に回転する上挟持ローラ６０１は、上特定端部６Ａを右側に移動する（図２３の矢印Ｂ１）。ＣＰＵ１０１は処理をＳ６７に移行する。
【００８７】
上検出位置Ｑに上特定端部６Ａがないことを上検出部６３５が検出した場合（図２４参照）、ＣＰＵ１０１は、上特定端部６Ａが上検出位置Ｑにないと判断する（Ｓ６１：ＮＯ）。ＣＰＵ１０１は、上モータ６０５を駆動制御して、上挟持ローラ６０１を第四出力方向に回転駆動する（Ｓ６５）。第四出力方向は第三出力方向と反対方向であり、図２４の矢印Ｈ４に相当する。第四出力方向に回転する上挟持ローラ６０１は、上特定端部６Ａを左側に移動する（図２４の矢印Ｂ２）。ＣＰＵ１０１は処理をＳ６７に移行する。
【００８８】
ＣＰＵ１０１は、踏板７の検出結果に基づき、接着処理の終了指示を検出したか否かを判断する（Ｓ６７）。ＣＰＵ１０１は、接着処理の終了指示を検出するまで（Ｓ６７：ＮＯ）、Ｓ５５〜Ｓ６７を繰り返し実行する。該場合、ポンプモータ１１４、上搬送モータ１１２、下搬送モータ２６２、下モータ５０５、上モータ６０５は継続して駆動し、且つ、ヒータ１３１、１３２は継続して発熱する。
【００８９】
ＣＰＵ１０１が、Ｓ５５〜Ｓ６７を繰り返し実行する間に、接着剤Ｚが付着した下シート８は、下搬送ローラ２７０と上搬送ローラ１２との間に進入する。上搬送ローラ１２と下搬送ローラ２７０は、下特定端部８Ａと上特定端部６Ａとを接着剤Ｚで互いに圧着して後側に搬送する。故に、接着装置１は、下特定端部８Ａと上特定端部６Ａを、接着剤Ｚを介して接着する。
【００９０】
ＣＰＵ１０１がＳ５５〜Ｓ６７を繰り返し実行する間、下挟持ローラ５０１は第一出力方向又は第二出力方向へ回転駆動する。例えば、下特定端部８Ａが前側且つ左側に向けて湾曲している場合（図１８参照）、下シート８の後方への移動に伴い、下特定端部８Ａは下検出位置Ｐ左側を通過する（Ｓ５５：ＮＯ）。ＣＰＵ１０１は、下挟持ローラ５０１を第二出力方向に回転駆動する（Ｓ５９）。故に、下特定端部８Ａが前側且つ左側に向けて湾曲している場合でも、吐出口１１Ｂ下方を通過する下特定端部８Ａと、吐出口１１Ｂとの左右方向における位置関係がずれるのを、接着装置１は抑制できる。また、下特定端部８Ａが前後方向に沿って直線状に延びる場合、ＣＰＵ１０１は、下挟持ローラ５０１を第一出力方向と第二出力方向とに交互に回転駆動する（Ｓ５５：ＹＥＳ、Ｓ５７、Ｓ５５：ＮＯ、Ｓ５９）。故に、吐出口１１Ｂ下方を通過する下特定端部８Ａと、吐出口１１Ｂとの左右方向における位置関係がずれるのを、接着装置１は抑制できる。
【００９１】
ＣＰＵ１０１がＳ５５〜Ｓ６７を繰り返し実行する間、上挟持ローラ６０１は第三出力方向又は第四出力方向へ回転駆動する。例えば、上特定端部６Ａが前側且つ右側に向けて湾曲している場合（図１８参照）、上シート６の後方への移動に伴い、上特定端部６Ａは上検出位置Ｑ右側を通過する（Ｓ６１：ＮＯ）。ＣＰＵ１０１は、上挟持ローラ６０１を第四出力方向に回転駆動する（Ｓ６５）。故に、上特定端部６Ａが前側且つ右側に向けて湾曲している場合でも、上支持部１１Ａを通過する上特定端部６Ａと、吐出口１１Ｂとの左右方向における位置関係がずれるのを、接着装置１は抑制できる。また、上特定端部６Ａが前後方向に沿って直線状に延びる場合、ＣＰＵ１０１は、上挟持ローラ６０１を第三出力方向と第四出力方向とに交互に回転駆動する（Ｓ６１：ＹＥＳ、Ｓ６３、Ｓ６１：ＮＯ、Ｓ６５）。故に、吐出口１１Ｂ下方を通過する上特定端部６Ａと、吐出口１１Ｂとの左右方向における位置関係がずれるのを、接着装置１は抑制できる。
【００９２】
ＣＰＵ１０１がＳ５５〜Ｓ６７を繰り返し実行することで、接着装置１は、ノズル１１を通過する下特定端部８Ａと上特定端部６Ａの左右方向位置を調整する。故に下特定端部８Ａに対して上下方向に重なる上特定端部６Ａの左右方向長さ（以下、上特定端部６Ａの重なり量と称す）は、所定範囲内に収まる。上特定端部６Ａの重なり量は、図２３では寸法Ｍ１に相当し、図２４では寸法Ｍ２に相当する。
【００９３】
作業者が踏板７を足で操作して接着処理の終了指示を入力すると（Ｓ６７：ＹＥＳ）、ＣＰＵ１０１は、上搬送モータ１１２、下搬送モータ２６２、ポンプモータ１１４、下モータ５０５、上モータ６０５の夫々の駆動を停止し、ヒータ１３１、１３２の夫々の駆動を停止する（Ｓ６９）。ＣＰＵ１０１は接着処理を終了し、メイン処理を終了する。
【００９４】
図５、図９、図１０、図１４を参照し、上検出位置Ｑを左右方向に調整し、且つ、可動体３０４の作動位置を左右方向に調整する方法を説明する。作業者は、ノズル１１に代えてノズル１３をノズル装着部１０に装着する場合に、上検出位置Ｑと可動体３０４の作動位置とを夫々、左右方向に調整する。本実施形態では一例として、ノズル１３の吐出幅（寸法Ｌ２）はノズル１１の吐出幅（寸法Ｌ１）よりも短く、且つ、ノズル１３の吐出左端位置Ｘ２は、ノズル１１の吐出左端位置Ｘ１よりも右側となる。故に作業者は、上特定端部６Ａの重なり量（図２３の寸法Ｍ１、図２４の寸法Ｍ２）を、ノズル１１装着時よりも短くする必要がある。更に、作業者は、可動体３０４が作動位置にある場合の上反射部３１５Ｅ（図１０参照）の左右方向位置を調整する必要がある。
【００９５】
図１４に示す如く、作業者は、締結穴６３９から脱落しない程度に締結部材６３７を緩める。保持部材６３３は二つの締結部材６３７にて支持した状態で左右動可能となる。作業者は、保持部材６３３と共に上検出部６３５を右方（矢印Ｄ）に移動する。長孔６３８は二つの締結部材６３７の夫々に対して摺動しながら右方に移動する。作業者は、二つの締結部材６３７を夫々、二つの締結穴６３９に再び締結する。
【００９６】
図９に示す如く、作業者は螺子穴３３３から脱落しない程度に螺子部材３３４を緩める。位置決め部材３１０は、二つの螺子部材３３４にて支持した状態で左右動可能となる。作業者は、上検出位置Ｑを右側に変更した分、位置決め部材３１０を右側に移動し、二つの螺子部材３３４を夫々、二つの螺子穴３３３に再び締結する。位置決め部材３１０の土台３３に対する固定位置が右側に変化するので、位置決め部材３１０が可動体３０４に対して接触して位置決めする位置は、右側に変化する。故に可動体３０４の作動位置は右側に変化する。故に、可動体３０４が作動位置にある時の上反射部３１５Ｅの左右方向位置は右側に変化する。以上の作業により、作業者は、上検出位置Ｑと、可動体３０４の作動位置を夫々右側に変更できる。故に、接着装置１は、接着処理実行時における上シート６の重なり量を短くできる。
【００９７】
図１３を参照し、下弾性部材５０９の弾性変形量を調整する方法を説明する。下シート８の厚さ、又は、下シート８の摩擦係数に応じ、作業者は、下挟持ローラ５０１（図１０参照）の挟持力を調整する必要がある。下挟持ローラ５０１の挟持力は、下挟持ローラ５０１が上流側下面３１５Ｂとの間で下シート８を挟む力である。
【００９８】
作業者は、ナット５２２を例えば軸部５２１Ｂから外れない程度に緩めて、ボルト５２１の上下方向位置を調整する（矢印Ｒ）。故に、下弾性部材５０９の弾性変形は変化する。作業者は、下弾性部材５０９の弾性変形量を所定量調整した後、ナット５２２を下保持体５１５左下部の上面に押圧して再び固定する。故に、作業者は、下弾性部材５０９の弾性変形を調整し、下挟持ローラ５０１の挟持力を調整できる。
【００９９】
図１４を参照し、上弾性部材６０９の弾性変形量を調整する方法を説明する。上シート６の厚さ、又は、上シート６の摩擦係数に応じ、作業者は、上挟持ローラ６０１（図１０参照）の挟持力を調整する必要がある。上挟持ローラ６０１の挟持力は、上挟持ローラ６０１が上支持面３１５Ａとの間で上シート６を挟む力である。作業者は、右側の係合穴６４９に係合する係合ピン６４７を外して、中央側又は左側の係合穴６４９に係合ピン６４７を係合させる。上弾性部材６０９の弾性変形量は小さくなる。故に、作業者は、上弾性部材６０９の弾性変形量を調整し、上挟持ローラ６０１の挟持力を変更できる。
【０１００】
以上説明の如く、下搬送ローラ２７０の外周面とノズル下ローラ２７５の外周面は、夫々の回転中心に対して、同一方向且つ同一速度で回転する。上搬送ローラ１２と下搬送ローラ２７０が下シート８を搬送する速度と、ノズル下ローラ２７５が下シート８を搬送する速度が互いに同じになるので、下シート８は、下搬送ローラ２７０とノズル下ローラ２７５との間で伸び難い。故に接着剤Ｚよって上シート６と接着した後の下シート８は、縮み難い。接着装置１は、互いに接着した上シート６と下シート８にて凹凸が生じるのを抑制できるので、互いに接着した下シート８と上シート６の品質の安定性を確保できる。
【０１０１】
ＣＰＵ１０１は、下検出部５３５の検出結果に応じて、下挟持ローラ５０１を第一出力方向又は第二出力方向に回転駆動する。接着装置１は、対向位置にあるノズル１１の吐出口１１Ｂ下方を通過する時における下特定端部８Ａの左右方向位置を調整できる。故に接着装置１は下特定端部８Ａへの接着剤Ｚの塗布精度を安定化できる。
【０１０２】
貫通孔２３５は下検出位置Ｐにて上下方向に開放する。下検出位置Ｐは、対向位置にあるノズル１１の吐出口１１Ｂの下側にある孔部２３２に対して、右側にずれた位置となる。接着装置１は、下検出位置Ｐを対向位置にあるノズル１１の吐出口１１Ｂに近づけることができる。左右方向位置を制御した下検出位置Ｐ近傍の下特定端部８Ａが、吐出口１１Ｂ下方に到達するまでの距離は、短くなる。故に接着装置１は、下特定端部８Ａへの接着剤Ｚの吐出精度を更に安定化できる。
【０１０３】
ノズル対向部材２３０の凸部２３３が下シート８に下側から接触するので、ノズル下ローラ２７５と接触する下シート８は、吐出口１１Ｂよりも右側で垂れ難い。故に接着装置１は、下特定端部８Ａへの接着剤Ｚの塗布精度を更に安定化できる。
【０１０４】
凸部２３３上端とノズル下ローラ２７５の上端は互いに同じ上下方向位置にある。下シート８がノズル下ローラ２７５と接触する上下方向位置と、下シート８が凸部２３３と接触する上下方向位置は、互いに同じになる。下特定端部８Ａの吐出口１１Ｂに対する位置が更に安定化するので、接着装置１は、下特定端部８Ａへの接着剤Ｚの塗布精度を更に安定化できる。
【０１０５】
接着装置１は、ノズル対向部材２３０の上下方向位置を調整する位置調整機構２４０を備える。接着装置１は、ノズル対向部材２３０と吐出口１１Ｂとの上下方向における距離を調整できるので、下特定端部８Ａと吐出口１１Ｂとの上下方向における距離を適正化し易い。故に接着装置１は、下特定端部８Ａへの接着剤Ｚの塗布精度を更に安定化できる。
【０１０６】
以上説明にて、支持部５２とノズル対向部材２３０は本発明の下支持部の一例である。下挟持ローラ５０１は本発明の回動ローラの一例である。支持部材３１５は本発明の挟持部材の一例である。下モータ５０５は本発明の駆動モータの一例である。下特定端部８Ａは本発明の特定端部の一例である。下検出部５３５は本発明の検出部の一例である。貫通孔２３５は本発明の検出孔の一例である。下発光部５３５Ａは本発明の発光部の一例である。下受光部５３５Ｂは本発明の受光部の一例である。上下調整モータ２１４は本発明のモータの一例である。下検出位置Ｐは本発明の検出位置の一例である。前後方向は本発明の搬送方向の一例である。前側は本発明の搬送方向の下流側の一例である。後側は本発明の搬送方向の上流側の一例である。左右方向は本発明の特定方向の一例である。右側は本発明の一方側の一例である。Ｓ５７を実行するＣＰＵ１０１は本発明の第一駆動制御手段の一例である。Ｓ５９を実行するＣＰＵ１０１は本発明の第二駆動制御手段の一例である。
【０１０７】
本発明は上記実施例に限定しない。吐出口１１Ｂ、１３Ｂは、左右方向に沿って等間隔に並ぶ複数の円形孔である代わりに、例えば、左右方向に長い矩形状であってもよい。ノズル下ローラ２７５は、金属材料で形成される代わりに、例えばゴム等で形成されてもよい。ノズル下ローラ２７５は、左右方向に延びる複数の溝を備えなくてもよい。例えば、ノズル下ローラ２７５の外周面は、凹凸が設けられていない湾曲平面であってもよいし、例えばローレット加工が施された凹凸状であってもよい。支持部材３１５は、左右方向と前後方向に延びる代わりに、例えば転動可能な状態で保持された球状であってもよい。
【０１０８】
下反射部３１５Ｆは、下発光部５３５Ａが発光した光を下方に向けて反射する代わりに、例えば左方に向けて反射可能であってもよい。該場合、下受光部５３５Ｂは、貫通孔２３５の下方、且つ上発光部６３５Ａと同じ高さ位置に設けられる代わりに、ノズル対向部材２３０の左方、且つ、下反射部３１５Ｆと同じ高さ位置に設けられてもよい。
【符号の説明】
【０１０９】
１        接着装置
８        下シート
８Ａ      下特定端部
１１、１３      ノズル
１１Ａ    上支持部
１１Ｂ、１３Ｂ    吐出口
１２      上搬送ローラ
４５      供給機構
５２      支持部
８０      搬送機構
１１２    上搬送モータ
２１２    基台
２１４    上下調整モータ
２２２    噛合体
２２２Ａ  開口孔
２３０    ノズル対向部材
２３２    孔部
２３３    凸部
２３５    貫通孔
２４０    位置調整機構
２６０    下搬送機構
２６２    下搬送モータ
２７０    下搬送ローラ
２７５    ノズル下ローラ
３１５    支持部材
５０１    下挟持ローラ
５０５    下モータ
５３５    下検出部
５３５Ａ  下発光部
５３５Ｂ  下受光部
Ｐ        下検出位置
Ｚ        接着剤
【図１】
2018172829.tif 000003
【図２】
2018172829.tif 000004
【図３】
2018172829.tif 000005
【図４】
2018172829.tif 000006
【図５】
2018172829.tif 000007
【図６】
2018172829.tif 000008
【図７】
2018172829.tif 000009
【図８】
2018172829.tif 000010
【図９】
2018172829.tif 000011
【図１０】
2018172829.tif 000012
【図１１】
2018172829.tif 000013
【図１２】
2018172829.tif 000014
【図１３】
2018172829.tif 000015
【図１４】
2018172829.tif 000016
【図１５】
2018172829.tif 000017
【図１６】
2018172829.tif 000018
【図１７】
2018172829.tif 000019
【図１８】
2018172829.tif 000020
【図１９】
2018172829.tif 000021
【図２０】
2018172829.tif 000022
【図２１】
2018172829.tif 000023
【図２２】
2018172829.tif 000024
【図２３】
2018172829.tif 000025
【図２４】
2018172829.tif 000026